(57)【要約】【課題】  ガス燃焼機器の再点火を禁止するインターロックを確実に保持することが可能な技術を提供する。【解決手段】  本発明は電池式のガス燃焼機器として具現化される。そのガス燃焼機器は、ガスバーナと、電力によって動作しガスバーナを点火する点火手段と、ガスバーナの燃焼状態の異常を検出する異常検出手段と、異常検出手段で燃焼状態の異常が検出された場合にインターロック信号を生成するインターロック生成手段と、電力によって動作しインターロック生成手段で生成されたインターロック信号を保持するインターロック保持手段と、電力によって動作しインターロック保持手段でインターロック信号が保持されている場合に点火手段がガスバーナを再点火することを禁止する再点火禁止手段と、電池と並列に接続されたバックアップコンデンサを備えている。【選択図】  図２
2008281298.tif 000002
【特許請求の範囲】
【請求項１】
電池式のガス燃焼機器であって、
ガスバーナと、
電力によって動作し、ガスバーナを点火する点火手段と、
ガスバーナの燃焼状態の異常を検出する異常検出手段と、
異常検出手段で燃焼状態の異常が検出された場合に、インターロック信号を生成するインターロック生成手段と、
電力によって動作し、インターロック生成手段で生成されたインターロック信号を保持するインターロック保持手段と、
電力によって動作し、インターロック保持手段でインターロック信号が保持されている場合に、点火手段がガスバーナを再点火することを禁止する再点火禁止手段と、
電池と並列に接続されたバックアップコンデンサを備える電池式のガス燃焼機器。
【請求項２】
前記点火手段が、ガスバーナへのガスの供給経路に設けられており、電力が供給されている場合にのみ開弁状態を保持する安全弁を備えており、
前記再点火禁止手段が、インターロック保持手段でインターロック信号が保持されている場合に、安全弁への電力の供給を遮断することで、点火手段がガスバーナを再点火することを禁止する、請求項１のガス燃焼機器。
【請求項３】
前記インターロック生成手段と前記再点火禁止手段が、電力によって動作するマイクロコントローラであって、
前記インターロック保持手段が、マイクロコントローラからアクセス可能な揮発性メモリである、請求項１または２の電池式のガス燃焼機器。
【請求項４】
前記インターロック保持手段が、トランジスタを用いたラッチ回路である、請求項１または２の電池式のガス燃焼機器。
【発明の詳細な説明】
【技術分野】
【０００１】
本発明は、電池式のガス燃焼機器に関する。詳しくは、ガスバーナの燃焼状態に異常が検出された場合に、適切な整備を受けるまで再点火を禁止する再点火禁止機能を有する電池式のガス燃焼機器に関する。
【背景技術】
【０００２】
現在市販されているガス燃焼機器の多くは、ガスバーナの炎の状態や燃焼ガスの状態から不完全燃焼の兆候を検知して、不完全燃焼を起こす前に自動的に消火する不完全燃焼防止機能を有している。また、不完全燃焼防止機能が働いた後は、適切な整備を受けるまでガス燃焼機器を再使用できないように、ガスバーナの再点火を禁止する再点火禁止機能を有するものも普及している。
【０００３】
これらの機能が正常に働いていれば、ガス燃焼機器は不完全燃焼を起こすことがない。従って、使用者がどのような使い方をしても、あるいはメンテナンス業者がどのような整備や改造を行ったとしても、これらの機能が正常に働くようにしておけば、ガス燃焼機器の安全性を確保することができる。
【０００４】
多くのガス燃焼機器では、マイクロコントローラを用いた燃焼制御を行っており、不完全燃焼防止機能や再点火禁止機能も、マイクロコントローラでの制御シーケンスや、電気的な回路構成によって実現している。このうち、再点火禁止機能に関しては、ガス燃焼機器で使用する電力の供給源となる電池を抜き差しすることで、マイクロコントローラや回路が保持しているインターロックがリセットされて、再点火禁止機能が回避されてしまうおそれがある。
【０００５】
そこで、再点火禁止機能が働いた状態でガス燃焼機器の電池が抜き差しされても、インターロックがリセットされることなく、再点火を禁止し続けることが可能な技術が開発されている。
特許文献１には、読み出しおよび書き込み可能な不揮発性メモリ（ＥＥＰＲＯＭ）にインターロックを示すデータを記憶する構成とすることによって、電池が抜き差しされても、インターロックをリセットすることなくガスバーナの再点火を禁止し続ける技術が開示されている。
特許文献２には、再点火を禁止する際にインターロックのためにヒューズを溶断し、電池が抜き差しされても、インターロックをリセットすることなくガスバーナの再点火を禁止し続ける技術が開示されている。
【０００６】
【特許文献１】特開２０００−２５７８５８号公報
【特許文献２】特開２０００−２６６３４３号公報
【発明の開示】
【発明が解決しようとする課題】
【０００７】
ＥＥＰＲＯＭは書き込みにある程度の時間を要し、書き込みサイクルが中断された場合に、データが失われてしまうという欠点がある。ＥＥＰＲＯＭが書き込みを行っている間に、例えば電池からの供給電力が大きく変動したり、あるいは電池が抜き差しされたりすると、ＥＥＰＲＯＭへの書き込みサイクルが中断されて、インターロックを示すデータが失われてしまうおそれがある。再点火禁止機能が正常に働かなくなってしまうおそれがある。
【０００８】
インターロックのためにヒューズを溶断する構成の場合、不正な改造によって再点火禁止機能が回避されてしまうおそれがある。例えば、溶断したヒューズを針金等によって短絡してしまえば、インターロックが解除されて、再点火禁止機能が容易に回避されてしまう。
【０００９】
電池式のガス燃焼機器の再点火を禁止する技術においては、不正な改造による回避がされにくく、適切な整備を受けるまで再点火を確実に禁止し続けることが可能な技術が待望されている。
【００１０】
本発明は上記課題を解決する。本発明では、電池式のガス燃焼機器において、再点火を禁止するインターロックを確実に保持することが可能な技術を提供する。
【課題を解決するための手段】
【００１１】
本発明は電池式のガス燃焼機器として具現化される。そのガス燃焼機器は、ガスバーナと、電力によって動作しガスバーナを点火する点火手段と、ガスバーナの燃焼状態の異常を検出する異常検出手段と、異常検出手段で燃焼状態の異常が検出された場合にインターロック信号を生成するインターロック生成手段と、電力によって動作しインターロック生成手段で生成されたインターロック信号を保持するインターロック保持手段と、電力によって動作しインターロック保持手段でインターロック信号が保持されている場合に点火手段がガスバーナを再点火することを禁止する再点火禁止手段と、電池と並列に接続されたバックアップコンデンサを備えている。
【００１２】
上記のガス燃焼機器においては、ガスバーナの燃焼状態の異常が検出されると、インターロック生成手段によってインターロック信号が生成される。このインターロック信号はインターロック保持手段によって保持される。インターロック信号が保持されている間は、ガスバーナの再点火が禁止される。
【００１３】
上記のガス燃焼機器においては、バックアップコンデンサが電池と並列に接続されている。これによって、インターロック信号が生成されてガスバーナの再点火を禁止している期間に電池が抜き差しされても、バックアップコンデンサが電池の代わりに電力を供給しているため、インターロック保持手段はインターロック信号を保持し続け、再点火禁止手段はガスバーナの再点火を禁止し続けることができる。
【００１４】
なお上記のガス燃焼機器においては、異常検出手段やインターロック生成手段は、電力によって動作するものであってもよいし、電力を必要とせずに動作するものであってもよい。
【００１５】
なお上記のガス燃焼機器において、点火手段によるガスバーナの再点火を禁止する再点火禁止手段は、例えばガスバーナへのガスの供給を遮断することで再点火を禁止してもよいし、イグナイタ等によるガスへの放電点火を禁止することで再点火を禁止してもよい。
【００１６】
このうち、ガスバーナへのガスの供給を遮断することで再点火を禁止する場合には、上記のガス燃焼機器は以下のような構成を備えることが好ましい。すなわち、前記点火手段が、ガスバーナへのガスの供給経路に設けられており電力が供給されている場合にのみ開弁状態を保持する安全弁を備えており、前記再点火禁止手段が、インターロック保持手段でインターロック信号が保持されている場合に安全弁への電力の供給を遮断することで、点火手段がガスバーナを再点火することを禁止することが好ましい。
【００１７】
このガス燃焼機器によれば、インターロック信号が保持されている間は、ガスバーナへのガスの供給が遮断される。これによって、ガスバーナの再点火が確実に禁止され、さらに再点火を禁止している間にガスバーナから生ガスが漏洩することもない。ガス燃焼機器の安全性をより高めることができる。
【００１８】
上記のガス燃焼機器においては、前記インターロック生成手段と前記再点火禁止手段が電力によって動作するマイクロコントローラであって、前記インターロック保持手段がマイクロコントローラからアクセス可能な揮発性メモリであることが好ましい。
揮発性メモリはＥＥＰＲＯＭに比べて書き込みや読み出し要する時間が短く、書き込みが中断されるリスクが低い。このガス燃焼機器によれば、簡素な構成でありながら、再点火を確実に禁止し続けることができる。
【００１９】
あるいは上記のガス燃焼機器においては、前記インターロック保持手段がトランジスタを用いたラッチ回路であることが好ましい。
このガス燃焼機器によれば、簡素な構成でありながら、再点火を確実に禁止し続けることができる。
【発明の効果】
【００２０】
本発明によれば、電池式のガス燃焼機器において、再点火を禁止するインターロックを確実に保持することができる。
【発明を実施するための最良の形態】
【００２１】
以下に説明する実施例の主要な特徴を最初に列記する。
（形態１）点火手段が、ガスバーナに供給されるガスに放電点火する放電点火手段を備えており、再点火禁止手段が、インターロック保持手段でインターロック信号が保持されている場合に、放電点火手段への電力の供給を遮断する。
【実施例】
【００２２】
（第１実施例）
本発明を具現化したガス湯沸かし器１００の実施例を図面を参照しながら詳細に説明する。
図１は本発明の一実施形態に係るガス湯沸かし器１００の構成を示している。ガス湯沸かし器１００は、水や湯を流す給湯管１０２と、給湯管１０２を流れる水を加熱して湯とするガスバーナ１０４と、ガスバーナ１０４にガスを供給するガス管１０６と、ガスバーナ１０４における燃焼を制御する燃焼制御装置１０８を備えている。給湯管１０２は、給水管１１０、吸熱管１１２、及び出湯管１１４により構成されている。給水管１１０には、水栓１１６、水ガバナ弁１１８および水量調節弁１２０が設けられている。水栓１１６は操作スイッチ１５２と連動して開閉する。水ガバナ弁１１８は、給水圧の変動に対して水量を安定化する。水量調節弁１２０は、温調つまみ１２４の操作により給水管１１０の開口度合いを制御して水量を変更する。吸熱管１１２は、フィン１２６を備えてガスバーナ１０４の上方に配置され、ガスバーナ１０４の燃焼熱により内部を通過する水を加熱する。出湯管１１４は吸熱管１１２からの水や湯を吐出する。温調つまみ１２４は操作される位置に応じて給湯管１０２の水量とガス管１０６のガス量を調節して出湯管１１４から吐出する湯の温度を調節する。温調つまみ１２４には湯／水切替スイッチ１３２が接続されている。湯／水切替スイッチ１３２は通常はＯＮとなっており、出湯管１１４からはガスバーナ１０４で加熱された湯が吐出される。温調つまみ１２４を最低温度の位置に移動すると、湯／水切替スイッチ１３２がＯＦＦとなって、ガスバーナ１０４は点火されず、出湯管１１４からは水が吐出される。
【００２３】
ガス管１０６は、電磁式の安全弁１３４、水圧応動弁１３６、ガスガバナ弁１３８およびガス量調節弁１４０を備えている。安全弁１３４は、ガス管１０６を開く位置（開位置）と閉じる位置（閉位置）の間で移動可能な弁体（図示されない）と、弁体を閉位置に保持する磁性体（図示されない）と、通電すると弁体を開位置に向けて付勢する吸着用コイル２１８（図２参照）と保持用コイル２２０（図２参照）を備えている。吸着用コイル２１８には保持用コイル２２０に比べて大電流を流すことができ、吸着用コイル２１８に通電することで閉位置の弁体は磁性体の吸着力に抗して開位置に移動し、ガス管１０６が開かれる。弁体を開位置に移動した後、吸着用コイル２１８の通電を終了しても、保持用コイル２２０の通電することで、弁体は開位置で保持される。保持用コイル２２０の通電も終了すると、弁体は閉位置に移動し、ガス管１０６が閉じられる。水圧応動弁１３６は、水ガバナ弁１１８と一体的に形成されており、水ガバナ弁１１８により水流が検知されるとそれに連動して開弁する。水圧応動弁１３６には、水流スイッチ１４２が接続されている。水流スイッチ１４２は、水圧応動弁１３６が開弁したときに連動してＯＮとなり、閉弁したときＯＦＦとなる。ガスガバナ弁１３８は、下流側のガス圧を一定にするものである。ガス量調節弁１４０は、温調つまみ１２４に連結され、温調つまみ１２４の操作によりガス管１０６の開口度合いを制御して、ガスバーナ１０４に供給されるガス量を変更する。温調つまみ１２４を高温側へ操作する程、水量調節弁１２０が閉じて水量は減少し、ガス量調節弁１４０が開いてガス量は増加する。
【００２４】
ガス湯沸かし器１００はさらに、ガスバーナ１０４に点火するイグナイタ１４４、ガスバーナ１０４の燃焼炎を検出するフレームロッド１４６、ガスバーナ１０４の燃焼炎によって起電力を生起する主熱電対１４８および補助熱電対１５０、ガス湯沸かし器１００の運転開始および停止時に押圧操作される操作スイッチ１５２を備えている。主熱電対１４８はガスバーナ１０４の直近に設けられており、補助熱電対１５０はフィン１２６の直下に設けられている。
【００２５】
図２は燃焼制御装置１０８の回路構成を示している。燃焼制御装置１０８は、マイクロコントローラ２０２と、イグナイタ１４４を駆動するイグナイタ駆動回路２０４と、安全弁１３４を駆動する安全弁制御回路２０６と、フレームロッド１４６によって燃焼炎の有無を検知するフレームロッド検知回路２０８と、フィン１２６の閉塞や不完全燃焼等の燃焼状態の異常を検知する閉塞／不燃検知回路２１０と、フィン１２６の閉塞や不完全燃焼等の燃焼状態の異常が検知された場合に再点火を禁止するインターロック信号を保持するインターロック回路２１２と、スイッチＳＷ１−ＳＷ３と、トランジスタＴＲ１−ＴＲ６と、負荷抵抗Ｒ１−Ｒ６等を備えている。また、燃焼制御装置１０８は、上記の回路等に電力を供給する乾電池２１４と、乾電池２１４に並列に接続されるバックアップコンデンサ２１６を備えている。
【００２６】
マイクロコントローラ２０２の電源電圧となるＶＣＣには、スイッチＳＷ１−ＳＷ３を介して、乾電池２１４からの電力が供給される。スイッチＳＷ１は水流スイッチ１４２に連動して切替わり、水流スイッチ１４２がＯＮになると導通し、水流スイッチ１４２がＯＦＦになると不通となる。スイッチＳＷ２は操作スイッチ１５２に連動して切替わり、操作スイッチ１５２がＯＮになると導通し、操作スイッチ１５２がＯＦＦになると不通となる。スイッチＳＷ３は水／湯切替スイッチ１３２に連動して切替わり、水／湯切替スイッチ１３２がＯＮになると導通し、水／湯切替スイッチ１３２がＯＦＦになると不通となる。
【００２７】
バックアップコンデンサ２１６は、乾電池２１４から電力を充電して、乾電池２１４が引き抜かれた際に、短時間ではあるが乾電池２１４の代わりに電力を供給する。図中のＶＡやＶＢは、それぞれ共通する電位を表現している。ＶＡは乾電池２１４の＋側の電位であり、スイッチＳＷ１−ＳＷ３の導通／不通に関わらず、乾電池２１４からの電力が供給される。ＶＢはマイクロコントローラ２０２のＶＣＣへの入力電位であり、スイッチＳＷ１−ＳＷ３が全て導通している場合に、乾電池２１４から電力が供給される。
【００２８】
マイクロコントローラ２０２には、入力ポートＩＮ１とＩＮ２に、主熱電対１４８と補助熱電対１５０の起電力が入力される。補助熱電対１５０は極性を反転した状態で主熱電対１４８と直列に接続されており、ＩＮ２には主熱電対１４８のみの起電力が入力され、ＩＮ１には主熱電対１４８の起電力と補助熱電対１５０の逆方向起電力の合成起電力が入力される。マイクロコントローラ２０２は、ＩＮ１に入力される起電力とＩＮ２に入力される起電力の差から、補助熱電対１５０のみの起電力を取得することもできる。
【００２９】
ガスバーナ１０４の燃焼中に室内の酸素濃度が低下してきた場合には、ガスバーナ１０４の燃焼炎のリフトや立ち消えによって、主熱電対１４８の起電力が低下する。ガス湯沸かし器１００の長期の使用によってフィン１２６の閉塞が進行した場合には、燃焼排気熱が内部にこもって補助熱電対１５０の起電力が増大する。何れの場合においても、主熱電対１４８の起電力と補助熱電対１５０の逆方向起電力の合成起電力は低下する。この合成起電力を監視することによって、マイクロコントローラ２０２は不完全燃焼やフィン１２６の閉塞といったガスバーナ１０４の燃焼状態の異常を検知することができる。
【００３０】
本実施例では、マイクロコントローラ２０２は、主熱電対１４８の起電力と補助熱電対１５０の逆方向起電力の合成起電力を監視して、合成起電力が所定値を下回ると、不完全燃焼が発生しているか、発生するおそれがあると判断して、燃焼状態の異常を検知する。また本実施例では、マイクロコントローラ２０２は、補助熱電対１５０のみの起電力についても監視して、補助熱電対１５０の起電力が所定値を上回ると、フィン１２６が過度に閉塞していると判断して、燃焼状態の異常を検知する。
【００３１】
閉塞／不燃検知回路２１０は、マイクロコントローラ２０２とは別個に設けられており、マイクロコントローラ２０２と同様に、主熱電対１４８の起電力と補助熱電対１５０の逆方向起電力の合成起電力と、補助熱電対１５０のみの起電力をそれぞれ監視する。閉塞／不燃検知回路２１０は、主熱電対１４８の起電力と補助熱電対１５０の逆方向起電力の合成起電力から不完全燃焼の発生を検知したり、補助熱電対１５０のみの起電力からフィン１２６の閉塞を検知すると、インターロック回路２１２にインターロック信号を出力する。
【００３２】
トランジスタＴＲ１、ＴＲ２、ＴＲ３、ＴＲ４、ＴＲ５およびＴＲ６は、ＰＮＰトランジスタであり、ローアクティブのスイッチ素子として機能する。すなわち、これらのトランジスタは、ベースにＯＮ信号（ロー電位）が入力されるとエミッタ／コレクタ間を導通し、ベースにＯＦＦ信号（ハイ電位）が入力されるとエミッタ／コレクタ間を不通とする。以下では、トランジスタがエミッタ／コレクタ間を導通している状態をＯＮ状態と表現し、エミッタ／コレクタ間を不通としている状態をＯＦＦ状態と表現する。トランジスタＴＲ１、ＴＲ２、ＴＲ４およびＴＲ５のベースは、それぞれ負荷抵抗Ｒ２、Ｒ３、Ｒ５およびＲ６を介して、マイクロコントローラ２０２の出力ポートＯＵＴ１、ＯＵＴ２、ＯＵＴ３およびＯＵＴ４に接続されている。ＯＵＴ１、ＯＵＴ２、ＯＵＴ３およびＯＵＴ４からの出力信号に応じて、ＴＲ１、ＴＲ２、ＴＲ４およびＴＲ５はＯＮ状態とＯＦＦ状態の間を切替わる。
【００３３】
さらにトランジスタＴＲ１のベースにはトランジスタＴＲ３のコレクタが接続されており、トランジスタＴＲ３がＯＮ状態となると、ＯＵＴ１からの出力信号に関わらず、トランジスタＴＲ１はＯＦＦ状態のまま維持される。同様に、トランジスタＴＲ４のベースにはトランジスタＴＲ６のコレクタが接続されており、トランジスタＴＲ６がＯＮ状態となると、ＯＵＴ３からの出力信号に関わらず、トランジスタＴＲ４はＯＦＦ状態のまま維持される。トランジスタＴＲ３およびＴＲ６のベースには、インターロック回路２１２からの出力信号が入力される。
【００３４】
インターロック回路２１２は、トランジスタＴＲ７、ＴＲ８およびＴＲ９を備えている。トランジスタＴＲ７およびＴＲ８は、ＮＰＮトランジスタであり、ハイアクティブのスイッチ素子として機能する。すなわち、これらのトランジスタは、ベースにＯＮ信号（ハイ電位）が入力されるとエミッタ／コレクタ間を導通し、ベースにＯＦＦ信号（ロー電位）が入力されるとエミッタ／コレクタ間を不通とする。トランジスタＴＲ９は、ＰＮＰトランジスタであり、ローアクティブのスイッチ素子として機能する。閉塞／不燃検知回路２１０からインターロック信号（ハイ電位）が出力されると、トランジスタＴＲ７およびＴＲ８がＯＮ状態となる。トランジスタＴＲ７がＯＮ状態となると、トランジスタＴＲ９もＯＮ状態となり、トランジスタＴＲ７、ＴＲ８およびＴＲ９の状態がロックされる。閉塞／不燃検知回路２１０からの出力がその後変化しても、トランジスタＴＲ７、ＴＲ８およびＴＲ９は全てＯＮ状態のまま維持され、インターロックが保持されることになる。インターロック回路２１２は、トランジスタＴＲ７、ＴＲ８およびＴＲ９を用いたラッチ回路ということができる。
【００３５】
トランジスタＴＲ７がＯＮ状態で維持されると、トランジスタＴＲ３がＯＮ状態で維持され、トランジスタＴＲ１がＯＦＦ状態で維持されて、イグナイタ駆動回路２０４の駆動と安全弁制御回路２０６の吸着用コイル２１８への通電が禁止される。トランジスタＴＲ８がＯＮ状態で維持されると、トランジスタＴＲ６がＯＮ状態で維持され、トランジスタＴＲ４がＯＦＦ状態で維持されて、安全弁制御回路２０６の保持用コイル２２０への通電が禁止される。このインターロック回路２１２を用いたガスバーナ１０４の再点火の禁止は、スイッチＳＷ１−ＳＷ３の導通／不通や、マイクロコントローラ２０２の状態に関わらず、ＶＡに電力が供給される限り継続する。
【００３６】
以下では燃焼制御装置１０８が行う処理について説明する。湯／水切替スイッチ１３２がＯＮの状態で、操作スイッチ１５２がＯＮに操作され、水栓１１６が開いて水流スイッチ１４２がＯＮとなると、スイッチＳＷ１−ＳＷ３が全て導通して、マイクロコントローラ２０２に乾電池２１４からの電力が供給される。
【００３７】
乾電池２１４からの電力が供給されると、マイクロコントローラ２０２は、ＯＵＴ１−ＯＵＴ４にＯＮ信号を出力する。ＯＵＴ１にＯＮ信号が供給されると、トランジスタＴＲ１がＯＮ状態となり、イグナイタ駆動回路２０４がイグナイタ１４６の点火動作を開始する。さらにＯＵＴ２にＯＮ信号が供給されることで、トランジスタＴＲ２もＯＮ状態となり、安全弁制御回路２０６の吸着用コイル２１８に通電される。ＯＵＴ３およびＯＵＴ４にＯＮ信号が供給されることで、トランジスタＴＲ４およびＴＲ５が順にＯＮ状態となり、安全弁制御回路２０６の保持用コイル２２０にも通電される。安全弁制御回路２０６の吸着用コイル２１８と保持用コイル２２０に通電されることで、安全弁１３４が開いてガス管１０６にガスが供給されて、ガスバーナ１０４での燃焼が開始される。
【００３８】
本実施例のガス湯沸かし器１００では、ＯＵＴ１とＯＵＴ２は所定時間（例えば４００ｍｓ）の間ＯＮ信号が出力された後、ＯＦＦ信号に切替えられる。ＯＵＴ１とＯＵＴ２がＯＦＦ信号に切替わることで、トランジスタＴＲ１およびＴＲ２がそれぞれＯＦＦ状態に切替わり、イグナイタ駆動回路２０４はイグナイタ１４６の点火動作を終了し、安全弁制御回路２０６の吸着用コイル２１８への通電が終了する。このような構成とすることによって、大電流を必要とする吸着用コイル２１８への通電を短期間で終了して、乾電池２１４の消耗を抑制することができる。なおＯＵＴ３とＯＵＴ４に関しては、ＯＵＴ１とＯＵＴ２がＯＦＦ信号に切替わった後も、ＯＮ信号のまま維持されるので、安全弁制御回路２０６の保持用コイル２２０への通電は継続される。安全弁１３４は開いた状態で維持される。
【００３９】
上記の点火処理の後、フレームロッド検知回路２０８がガスバーナ１０４の着火を検知すると、ＯＵＴ３とＯＵＴ４のＯＮ信号は維持したまま、マイクロコントローラ２０２と閉塞／不燃検知回路２１０は、主熱電対１４８と補助熱電対１５０の起電力の監視をそれぞれ開始する。上記の点火処理の後、フレームロッド検知回路２０８が着火を検知しないまま所定時間（例えば１５ｓ）が経過すると、ＯＵＴ３とＯＵＴ４がそれぞれＯＦＦ信号に切替えられる。ＯＵＴ３とＯＵＴ４がＯＦＦ信号に切替わることで、トランジスタＴＲ４およびＴＲ５がＯＦＦ状態に切り替わり、安全弁制御回路２０６の保持用コイル２２０への通電が終了する。これによって、安全弁１３４が閉止されて、ガス管１０６へのガスの供給が遮断される。
【００４０】
ガスバーナ１０４の燃焼中に、主熱電対１４８の起電力と補助熱電対１５０の逆方向起電力の合成起電力が所定値より低下したり、補助熱電対１５０のみの起電力が所定値より増大すると、マイクロコントローラ２０２は、ＯＵＴ３とＯＵＴ４をＯＦＦ信号に切替える。これによって、トランジスタＴＲ４およびＴＲ５がそれぞれＯＦＦ状態に切替わり、安全弁制御回路２０６の保持用コイル２２０への通電が終了する。安全弁１３４が閉止されて、ガス管１０６へのガスの供給が遮断される。またガスバーナ１０４の燃焼中に、主熱電対１４８の起電力と補助熱電対１５０の逆方向起電力の合成起電力が所定値より低下したり、補助熱電対１５０のみの起電力が所定値より増大すると、閉塞／不燃検知回路２１０は、インターロック回路２１２にインターロック信号を出力する。これによって、トランジスタＴＲ７、ＴＲ８およびＴＲ９がＯＮ状態でロックされ、トランジスタＴＲ３およびＴＲ６がそれぞれＯＮ状態で維持され、トランジスタＴＲ１およびＴＲ４がＯＦＦ状態で維持されて、ガスバーナ１０４の再点火が禁止される。
【００４１】
インターロック回路２１２による再点火の禁止は、スイッチＳＷ１−ＳＷ３の導通／不通や、マイクロコントローラ２０２からの出力信号に関わらず、ＶＡから電力が供給されている限り継続する。従って、再点火を禁止している間にスイッチＳＷ１−ＳＷ３を不正に操作しても、あるいはマイクロコントローラ２０２が異常動作を起こした場合でも、インターロック回路２１２はガスバーナ１０４の再点火を確実に禁止し続けることができる。
【００４２】
インターロック回路２１２が再点火を禁止している間に、乾電池２１４が引き抜かれた場合でも、短時間ではあるがバックアップコンデンサ２１６が乾電池２１４の代わりにＶＡに電力を供給し続ける。従って、バックアップコンデンサ２１６がＶＡに電力を供給可能な間は、インターロック回路２１２はガスバーナ１０４の再点火を禁止し続けることができる。
【００４３】
本実施例では、燃焼制御装置１０８がマイクロコントローラ２０２を備える場合について説明したが、閉塞／不燃検知回路２１０、インターロック回路２１２およびＴＲ３、ＴＲ６によるガスバーナ１０４の再点火の禁止は、燃焼制御装置１０８がマイクロコントローラ２０２を備えていない場合についても、同様に適用することができる。
【００４４】
（第２実施例）
図３に本発明の第２実施例のガス湯沸かし器３００の構成を示す。ガス湯沸かし器３００は、第１実施例のガス湯沸かし器１００とほぼ同様の構成を備えている。第２実施例のガス湯沸かし器３００は、第１実施例のガス湯沸かし器１００の燃焼制御装置１０８の代わりに、燃焼制御装置３０８を備えている。
【００４５】
図４は第２実施例のガス湯沸かし器３００の燃焼制御装置３０８の構成を示している。
燃焼制御装置３０８はマイクロコントローラ４０２と、イグナイタ駆動回路２０４と、安全弁制御回路２０６と、フレームロッド検知回路２０８と、インターロック信号を保持するメモリ４０４と、スイッチＳＷ１−ＳＷ３と、トランジスタＴＲ１、ＴＲ２、ＴＲ４、ＴＲ５と、負荷抵抗Ｒ１−Ｒ６と、これらの回路等に電力を供給する乾電池２１４と、バックアップコンデンサ２１６を備えている。
【００４６】
メモリ４０４は出力ポートＯＵＴ５と入力ポートＩＮ４を介してマイクロコントローラ４０２がアクセス可能なＲＡＭである。メモリ４０４は、マイクロコントローラ４０２が生成するインターロック信号を、データとして保持することができる。メモリ４０４には初期値として、ガス湯沸かし器３００がインターロック状態にないことを示すデータが記憶されている。
【００４７】
以下では燃焼制御装置３０８が行う処理について説明する。湯／水切替スイッチ１３２がＯＮの状態で、操作スイッチ１５２がＯＮに操作され、水栓１１６が開いて水流スイッチ１４２がＯＮとなると、スイッチＳＷ１−ＳＷ３が全て導通して、マイクロコントローラ４０２に乾電池２１４からの電力が供給される。
【００４８】
乾電池２１４からの電力が供給されると、マイクロコントローラ４０２は、メモリ４０４からデータを読み出して、ガス湯沸かし器３００がインターロック状態にあるか否かを判断する。ガス湯沸かし器３００がインターロック状態にある場合には、マイクロコントローラ４０２は制御シーケンスをそれ以上進めることなく、処理を中断する。従って、ガスバーナ１０４の再点火が行われることがない。ガス湯沸かし器３００がインターロック状態にない場合、マイクロコントローラ４０２は、ＯＵＴ１−ＯＵＴ４にＯＮ信号を出力する。これ以降の、フレームロッド検知回路２０８が着火を検知するまでの処理は、第１実施例の燃焼制御装置１０８と同様であるので、ここでは説明を省略する。フレームロッド検知回路２０８がガスバーナ１０４の着火を検知すると、ＯＵＴ３とＯＵＴ４のＯＮ信号は維持したまま、マイクロコントローラ４０２は、主熱電対１４８と補助熱電対１５０の起電力の監視を開始する。
【００４９】
ガスバーナ１０４の燃焼中に、主熱電対１４８の起電力と補助熱電対１５０の逆方向起電力の合成起電力が所定値より低下したり、補助熱電対１５０のみの起電力が所定値より増大すると、マイクロコントローラ４０２は、ＯＵＴ３とＯＵＴ４をＯＦＦ信号に切替える。これによって、トランジスタＴＲ４およびＴＲ５がそれぞれＯＦＦ状態に切替わり、安全弁制御回路２０６の保持用コイル２２０への通電が終了する。安全弁１３４が閉止されて、ガス管１０６へのガスの供給が遮断される。またマイクロコントローラ４０２は、インターロック信号を生成してメモリ４０４に書き込み、処理を終了する。
【００５０】
メモリ４０４にインターロック信号がデータとして記憶されると、再び操作スイッチ１５２を操作しても、マイクロコントローラ４０２がメモリ４０４の内容を認識した時点で、ガスバーナ１０４を点火するための処理が中断される。ガスバーナ１０４の再点火を確実に禁止し続けることができる。
【００５１】
メモリ４０４に記憶されているデータは、ＶＡから電力が供給されている限り保持される。従って、再点火を禁止している間にスイッチＳＷ１−ＳＷ３を不正に操作しても、ガスバーナ１０４の再点火を確実に禁止し続けることができる。
【００５２】
ガスバーナ１０４の再点火を禁止している間に、乾電池２１４が引き抜かれた場合でも、短時間ではあるがバックアップコンデンサ２１６が乾電池２１４の代わりにＶＡに電力を供給し続ける。従って、バックアップコンデンサ２１６がＶＡに電力を供給可能な間は、メモリ４０４がインターロック状態を示すデータを保持し続け、ガスバーナ１０４の再点火を禁止し続けることができる。
【００５３】
メモリ４０４は通常のＲＡＭであり、省電力で動作可能である。また、ＥＥＰＲＯＭに比べて書き込みや読み出しに要する時間が短時間で済むから、書き込みが中断されてデータが失われるリスクが低い。ガスバーナ１０４の再点火を確実に禁止し続けることができる。
【００５４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
例えば、上記の実施例では、本発明をガス湯沸かし器として具現化したものを示した画、他のガス燃焼装置、例えばグリル、ガステーブル、暖房器、風呂釜等として具現化することもできる。
さらに、上記の実施例では、１回でも燃焼状態が異常となった場合には、ガスバーナの再点火を禁止する構成を示したが、所定回数連続して燃焼状態が異常となった場合のみガスバーナの再点火を禁止する構成としてもよい。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００５５】
【図１】図１は第１実施例のガス湯沸かし器１００の構成を示す図である。
【図２】図２は第１実施例の燃焼制御装置１０８の回路構成を示す図である。
【図３】図３は第２実施例のガス湯沸かし器３００の構成を示す図である。
【図４】図４は第２実施例の燃焼制御装置３０８の回路構成を示す図である。
【符号の説明】
【００５６】
１００：ガス湯沸かし器
１０２：給湯管
１０４：ガスバーナ
１０６：ガス管
１０８：燃焼制御装置
１１０：給水管
１１２：吸熱管
１１４：出湯管
１１６：水栓
１１８：水ガバナ弁
１２０：水量調節弁
１２２：水栓モータ
１２４：温調つまみ
１２６：フィン
１３２：湯／水切替スイッチ
１３４：安全弁
１３６：水圧応動弁
１３８：ガスガバナ弁
１４０：ガス量調節弁
１４２：水流スイッチ
１４４：イグナイタ
１４６：フレームロッド
１４８：主熱電対
１５０：補助熱電対
１５２：操作スイッチ
２０２：マイクロコントローラ
２０４：イグナイタ駆動回路
２０６：安全弁制御回路
２０８：フレームロッド検知回路
２１０：閉塞／不燃検知回路
２１２：インターロック回路
２１４：乾電池
２１６：バックアップコンデンサ
２１８：吸着用コイル
２２０：保持用コイル
３００：ガス湯沸かし器
３０８：燃焼制御装置
４０２：マイクロコントローラ
４０４：メモリ
【図１】
2008281298.tif 000003
【図２】
2008281298.tif 000004
【図３】
2008281298.tif 000005
【図４】
2008281298.tif 000006